(57)【特許請求の範囲】
【請求項１】
被験者の生体情報と運動強度関連値とを同時に計測する生理機能検査装置であって、生体情報有意検定手段を有し、該生体情報有意検定手段は、前記生体情報の計測値と前記運動強度関連計測値とを集計処理し、各運動強度関連計測値ごとに統計処理を行い、該統計情報を用いて有意検定を行うように構成されたことを特徴とする生理機能検査装置。
【請求項２】
請求項１に記載の生理機能検査装置において、前記生体情報の計測値と前記運動強度関連計測値とを一旦記憶装置に記憶させてから、計測値を集計処理して相対度数分布表を作成する機能を有することを特徴とする生理機能検査装置。
【請求項３】
請求項１に記載の生理機能検査装置において、前記生体情報の計測値と前記運動強度関連計測値とを集計処理装置に直接送信して、相対度数分布表を作成する機能を有することを特徴とする生理機能検査装置。
【請求項４】
請求項１〜３のいずれかに記載の生理機能検査装置において、生体情報に基づく有意検定を行い、運動強度に関連する帰無仮説が成立するか否かによって被験者の運動耐容能の範囲を判定する機能を有することを特徴とする生理機能検査装置。
【請求項５】
請求項１〜４のいずれかに記載の生理機能検査装置において、前記運動強度関連計測値の変化量をもとに相対度数分布表を作成する機能を有することを特徴とする生理機能検査装置。
【請求項６】
請求項５に記載の生理機能検査装置において、前記変化量が微分値または差分値であることを特徴とする生理機能検査装置。
【請求項７】
請求項１〜６のいずれかに記載の生理機能検査装置において、前記運動強度と前記生体情報の変化とがサンプリング周期に比べて遅延する場合は、予めこの遅延時間を想定して前記相対度数分布表を作成し遅延時間を考慮した前記有意検定を行う機能を有することを特徴とする生理機能検査装置。
【請求項８】
請求項１〜７のいずれかに記載の生理機能検査装置において、前記統計情報が平均値，最頻値，標準偏差のいずれかであることを特徴とする生理機能検査装置。
【請求項９】
請求項１〜８のいずれかに記載の生理機能検査装置において、前記生体情報が経皮的酸素飽和度（Spo2)，脈拍数，呼吸数，血圧のいずれかであることを特徴とする生理機能検査装置。
【請求項１０】
請求項１〜９のいずれかに記載の生理機能検査装置において、前記運動強度関連計測値は歩行速度，加速度，消費エネルギーまたは運動エネルギーに関する計測値のいずれかであることを特徴とする生理機能検査装置。
【請求項１１】
請求項１〜１０のいずれかに記載の生理機能検査装置において、前記有意検定の結果に基づいて労作時における低酸素状態を評価し酸素療法の適応を判定する機能を有することを特徴とする生理機能検査装置。
【請求項１２】
請求項１〜１１のいずれかに記載の生理機能検査装置において、経時的に得られた有意検定の結果に基づいて被験者の生体機能を評価する機能を有することを特徴とする生理機能検査装置。
【請求項１３】
請求項１〜１２のいずれかに記載の生理機能検査装置によって得られた各種統計情報が画面に表示される生理機能検査結果表示装置であって、三次元表示画面に前記各種統計情報がライン表示または領域表示する機能を有することを特徴とする生理機能検査装置。
【請求項１４】
請求項１３に記載の生理機能検査結果表示装置であって、前記各種統計情報がカラー表示により区別されて表示する機能を有することを特徴とする生理機能検査装置。
【発明の詳細な説明】
【発明の属する技術分野】
【０００１】
本発明は、生理機能検査装置および生理機能検査結果表示装置に関し、特に高齢者、重度の慢性呼吸不全患者、虚血性心疾患合併症患者など運動負荷試験を実施することが困難な者を対象にする生理機能検査装置および生理機能検査結果表示装置に関する。
【０００２】
【従来の技術】
従来の生理機能検査では、トレッドミル，自転車エルゴメーターを用いて定量的な負荷を被験者に与えて運動負荷試験を行い、定量化された運動負荷に対する生体の応答で運動耐容能を評価するという生理機能検査装置が用いられてきた。
【０００３】
しかし、このような生理機能検査装置は使用する装置が著しく高価であり、大学病院や一部の専門医療機関においてのみ実施されるにすぎなかった。また重度の慢性呼吸不全患者や虚血性心疾患等合併患者では検査に伴う危険が高いために、厳密な監視下で実施するか、実施自体を中止せざるを得なかった。
【０００４】
また、上述のような運動負荷試験を行うことが困難な場合には、被験者に一定時間内（１２分間または１０分間）にできるだけ長く歩くように指示し、その歩行距離を計測し、この歩行試験前後の生体情報を比較する装置が用いられてきた。しかしこの歩行試験では測定値が被験者の努力に大きく依存し、測定値のばらつきが大きく、正しく運動耐容能を評価することは困難であった。
【０００５】
【発明が解決しようとする課題】
上述のように、運動負荷試験を高齢者や重度の慢性呼吸不全患者や虚血性心疾患等合併患者などに対して実施することは困難であるため、運動負荷試験を行わずに運動耐容能を検査する装置として、日常生活中の生体情報をセンサで計測し時系列表示して視覚的，定性的に運動耐容能を評価する検査装置や、生体情報と運動強度との相関図から運動耐容能を評価する検査装置等の生理機能検査装置が試みられている。
【０００６】
しかしながら生体情報を時系列表示する検査装置では、日常生活活動における作業・運動などの日常生活労作の程度を客観的に定量的に評価することができず、また安静時でも生体情報が変動する場合があり、生体情報の変動が運動に起因するものか否かの判断が困難であるという問題点がある。また相関図を用いる検査装置では生体側のゆらぎ，計測誤差，偶発誤差などが、そのまま反映されるため、生体情報と運動強度との相関関係を評価することは困難であるという問題点がある。
【０００７】
本発明は、上記従来の問題点や事情に鑑みてなされたものであって、運動負荷試験を実施することが困難な重度の慢性呼吸不全患者や虚血性心疾患等合併患者を対象に日常生活労作から運動負荷試験に準ずる情報を得て、計測誤差や偶発的計測誤差の影響が少なく客観的な評価ができ、しかも被験者の運動耐容能の変化から生体機能の改善または悪化を従来の検査装置よりも早期に検出することができる生理機能検査装置および生理機能検査結果表示装置を提供することを目的とするものである。
【０００８】
【課題を解決する手段】
上記課題を解決するために、請求項１記載の生理機能検査装置は、被験者の生体情報と運動強度関連値とを同時に計測する生理機能検査装置であって、生体情報有意検定手段を有し、該生体情報有意検定手段は、前記生体情報の計測値と前記運動強度関連計測値とを集計処理し、各運動強度関連計測値ごとに統計処理を行い、該統計情報を用いて有意検定を行うように構成されたことで、運動負荷試験を実施することが困難な重度の慢性呼吸不全患者や虚血性心疾患等合併患者を対象に日常生活労作から運動負荷試験に準ずる情報を得て、計測誤差や偶発的計測誤差の影響が少なく客観的な評価ができる。
【０００９】
請求項２記載の生理機能検査装置は、生体情報の計測値と運動強度関連計測値とを一旦記憶装置に記憶させてから計測値を集計処理して相対度数分布表を作成する機能を有することで、被験者の行動の自由を制限することなく、日常生活における状態を観察することができる。
【００１０】
請求項３記載の生理機能検査装置は、生体情報の計測値と前記運動強度関連計測値とを集計処理装置に直接送信して相対度数分布表を作成する機能を有することで、送受信装置が整っている場所内においては被験者が記憶装置を携帯する必要がない。
【００１１】
請求項４記載の生理機能検査装置は、生体情報に基づく有意検定を行い運動強度に関連する帰無仮説が成立するか否かによって被験者の運動耐容能の範囲を判定する機能を有することで、計測誤差や偶発的計測誤差の影響が少なく客観的な評価ができる。
【００１２】
請求項５に記載の生理機能検査装置は、運動強度関連計測値の変化量をもとに相対度数分布表を作成する機能を有することで、運動強度の変化に基づく運動耐容能を評価できる。
【００１３】
請求項６に記載の生理機能検査装置は、前記変化量が微分値または差分値であることで、運動強度の変化（例えば安静時から運動時への変化）を評価できる。
【００１４】
請求項７に記載の生理機能検査装置は、運動強度の変化と生体情報の変化とがサンプリング周期に比べて遅延する場合は予めこの遅延時間を想定して相対度数分布表を作成し遅延時間を考慮した有意検定を行う機能を有することで、より精度の高い相対度数分布表を作成できる。
【００１５】
請求項８に記載の生理機能検査装置は、統計情報が平均値，最頻値，標準偏差のいずれかであることで、計測誤差や偶発的計測誤差の影響が少なく客観的な評価ができる。
【００１６】
請求項９に記載の生理機能検査装置は、生体情報が経皮的酸素飽和度（Spo2)，脈拍数，呼吸数，血圧のいずれかであることで、運動強度の変化に基づく生体反応を客観的に評価することができる。
【００１７】
請求項１０に記載の生理機能検査装置は、運動強度関連計測値は歩行速度，加速度，消費エネルギーまたは運動エネルギーに関する計測値のいずれかであることで、万歩計（登録商標），加速度計など携帯可能な機器を用いて日常生活中に計測を行うことができる。
【００１８】
請求項１１に記載の生理機能検査装置は、さらに有意検定の結果に基づいて労作時における低酸素状態を評価し酸素療法の適応を判定する機能を有することで、有意検定の結果から被験者の運動耐容能について評価し労作時における酸素療法適応の有無を判定することができる。
【００１９】
請求項１２に記載の生理機能検査装置は、経時的に得られた有意検定の結果に基づいて被験者の生体機能を評価する機能を有することで、定期的に行った有意検定の結果を経時的に比較して被験者の運動耐容能の変化から生体機能の改善または悪化を従来の検査装置よりも早期に検出することができる。
【００２０】
請求項１３に記載の生理機能検査装置は、請求項１〜１２のいずれかに記載の生理機能検査装置によって得られた各種統計情報が画面に表示される生理機能検査結果表示装置であって三次元表示画面に前記各種統計情報がライン表示または領域表示する機能を有することで、計測誤差や偶発的計測誤差の影響が少なく計測値が視覚化され結果の把握が直観的にできる。
【００２１】
請求項１４に記載の生理機能検査結果表示装置は、各種統計情報がカラー表示により区別されて表示する機能を有することで、各種統計情報の表や図が直観的に把握が可能になる。
【００２２】
【発明の実施の形態】
以下、本発明に係る生理機能検査装置および生理機能検査結果表示装置の実施の形態について、図面を参照しながら詳細に説明する。
図１は、本実施の形態に係る生理機能検査装置および生理機能検査結果表示装置の構成を示すブロック図である。
図１に示すように、生理機能検査装置１００は、生体情報有意検定手段１０２と運動強度計測手段１０３と生体情報計測手段１０４と記憶装置１０５とで構成される。
【００２３】
生体情報計測手段１０４は被験者の生体情報を計測し、運動強度計測手段１０３は運動強度関連値を計測する。この生体情報の計測および運動強度の計測は同時に行われる。
また、生体情報計測手段１０４および運動強度計測手段１０３から得られた計測値を記憶装置１０５に記憶させてから、生体情報有意検定手段１０２に送信する。
または、生体情報計測手段１０４および運動強度計測手段１０３から直接に生体情報有意検定手段１０２に送信する。
【００２４】
生体情報有意検定手段１０２は、送信された生体情報計測値と運動強度関連計測値とを集計処理し、各運動強度関連計測値ごとに統計処理を行い、統計情報の有意検定を行う。
また、生体情報有意検定手段１０２による有意検定は、対象とする生体情報に基づき、運動強度に関連する帰無仮説が成立するか否かによって、被験者の運動耐容能の範囲を判定する。
【００２５】
また、生体情報有意検定手段１０２は、運動強度関連計測値の変化量をもとに相対度数分布表を作成する。運動強度関連計測値の変化量として微分値または差分値が用いられる。
【００２６】
さらに、生体情報有意検定手段１０２は、運動強度の変化と生体情報の変化とが、サンプリング周期に比べて遅延する場合は、予めこの遅延時間を想定して相対度数分布表を作成し、遅延時間を考慮した有意検定を行う。
【００２７】
統計情報としては、例えば、平均値，最頻値，標準偏差などが用いられる。
生体情報としては、例えば、経皮的酸素飽和度（Spo2)，脈拍数，呼吸数，血圧などが用いられる。
運動強度関連計測値としては、例えば、歩行速度，加速度または運動エネルギーに関する計測値などが用いられる。
【００２８】
また、生体情報有意検定手段１０２は、好ましくはさらに、有意検定の結果に基づいて労作時における低酸素状態を評価し酸素療法の適応を判定する。この酸素療法の適応を判定する手段は、有意検定の結果から被験者の運動耐容能について評価し労作時における酸素療法適応の有無を判定するものである。
具体的には、例えば、「安静時には低酸素状態ではなく酸素療法は不要であるが、運動耐容能が低いために一定以上の労作時には低酸素状態になり、酸素療法が必要になる」と判定する。一方、酸素療法実施中の患者に利用すれば、酸素流量の適／不足などの判断にも利用することが出来る。
【００２９】
また、生体情報有意検定手段１０２は、好ましくはさらに、経時的に得られた有意検定の結果に基づいて、被験者の生体機能を評価する。この評価手段によって、定期的に行った有意検定の結果を経時的に比較して運動耐容能の変化から、生体機能の改善または悪化を従来の検査装置よりも早期に検出することができる。
【００３０】
生機能検査結果表示装置１０１は、生体情報有意検定手段１０２により計測値の集計処理，統計処理，有意検定の結果を表示するように構成されている（後述の検査例図４〜図１２参照）。
また、この表示装置１０１の三次元表示画面に処理結果がライン表示または領域表示され、これらの処理結果の画面は好ましくは各種統計情報がカラー表示により区別されて表示される。これにより画面に表示された各種統計情報の表や図が直観的に把握可能となる。
【００３１】
次に、本実施の形態に係る生理機能検査装置および生理機能検査結果表示装置を用いた検査の流れを詳細に説明する。図２は検査の流れを説明するフロー図である。
図２に示すようにまず最初に、日常生活活動中における被験者の生体情報と運動強度とを同時に計測する（ステップＳ１）。
生体情報として経皮的酸素飽和度（Spo2)，脈拍数，呼吸数，血圧などが挙げられ、各種センサで計測される。
また、運動強度に関連する計測値として歩行速度，加速度，運動エネルギーが挙げられ、万歩計（登録商標），加速度計で計測され算出される。
具体的には、被験者の経皮的酸素飽和度（Spo2)，脈拍数の生体情報を得るため被験者の指にフィンガープローブを装着し、また被験者の運動強度（歩行速度）を計測するため被験者に万歩計（登録商標），加速度計あるいは全体情報の計測器を装着する。
【００３２】
次に、これらの計測値を、例えばメモリーカード（図３参照）等の記憶装置に記録する（ステップＳ２）。
なお、被験者が病室内など限られた場所内にいるときは測定値を送信器で集計処理装置に送信することができ、このような場合には上記記憶装置を用いる必要はない。
【００３３】
次に、運動強度関連計測値ごとに、生体情報の計測値の相対度数分布表を作成する（ステップＳ３）。
さらに、運動強度の変化と生体情報の変化とが、サンプリング周期に比べて遅延する場合は、予めこの遅延時間を想定して相対度数分布表を作成する。
また、運動強度の変化（例えば安静から運動時への変化）を評価する場合は、得られた運動強度の変化量（微分値、差分値など）をもとに上記と同様な相対度数分布表を作成する。
【００３４】
次に、この相対度数分布表から各運動強度関連計測値ごとに統計処理を行って統計情報を算出し表示する（ステップＳ４）。
この統計情報として、例えば平均値，最頻値，標準偏差などが用いられる。
【００３５】
次に、これらの統計情報を用いて有意検定を行う（ステップＳ５）。
生体情報に基づく帰無仮説を設け、この帰無仮説が成立した場合は正常と判断する。特定の運動強度以上から帰無仮説が成立しない場合は、帰無仮説が成立する運動強度の範囲を被験者の運動耐容能の範囲と判断する。
【００３６】
例えば、運動強度（歩行速度）と経皮的酸素飽和度（Spo2)の場合、「安静時と比較して、運動強度（歩行速度）が変化しても経皮的酸素飽和度（Spo2)の平均値に差がない場合を正常とする」という帰無仮説が成立すれば、被験者は正常であると判定できる。
【００３７】
また、運動強度の変化と生体情報の変化とが、サンプリング周期に比べて遅延する場合は、上記のように予めこの遅延時間を想定して相対度数分布表を作成するものとし、このような場合には遅延時間を考慮して有意検定を行うことになる。
【００３８】
最後に、上記検定結果を生理機能検査結果表示装置（例えば、CRTモニター）に表示する（ステップＳ６）。
【００３９】
次に、本発明に係る生理機能検査装置および生理機能検査結果表示装置を用いた具体的な検査例を挙げ、以下に説明する。
【００４０】
生体情報が経皮的酸素飽和度（Spo2)、運動強度関連計測値が歩行速度の検査例である。
本検査例においては、以下被験者１〜３に対して検査を行った。
被験者１：軽度の慢性呼吸器疾患患者
被験者２：重度の慢性呼吸器疾患患者
被験者３：健常者
【００４１】
経皮的酸素飽和度（Spo2)，脈拍数の生体情報を得るため被験者の指にフィンガープローブを装着し、また運動強度（歩行速度）を計測するため被験者に万歩計，加速度計あるいは全体情報の計測器を装着する。
これらを装着したまま被験者に日常生活をさせ、経皮的酸素飽和度（Spo2)，脈拍数の生体情報を計測すると同時に歩数と加速度を計測した。
【００４２】
経皮的酸素飽和度（Spo2)と歩行速度とをメモリーカード１０５ａ（図３参照）等の記憶装置を利用して記録した。図３のごとく、メモリーカード１０５ａに記憶された計測値を入力装置１０６で読み取り、生体情報有意検定手段１０２に入力した。
【００４３】
次に、運動強度（歩行速度0.5km/h単位）ごとに経皮的酸素飽和度（Spo2)の相対度数分布表を作成した（図４，図５，図６）。
図４は、被験者１（軽度慢性呼吸器疾患患者）の場合である。
図５は、被験者２（重度慢性呼吸器疾患患者）の場合である。
図６は、被験者３（健常者）の場合である。
【００４４】
算出された統計情報を図７，図８，図９に示す。
図７は、被験者１（軽度慢性呼吸器疾患患者）の場合である。
図８は、被験者２（重度慢性呼吸器疾患患者）の場合である。
図９は、被験者３（健常者）の場合である。
各図において、基礎統計値（A）は、歩行速度，Spo2平均値，標準偏差，各歩行速度の該当件数および構成比を表とした。
各歩行速度と構成比との関係（C）、各歩行速度とSpo2平均値との関係（D）、各歩行速度におけるSpo2相対度数分布図（E）を示す。
【００４５】
各歩行速度におけるSpo2相対度数分布図を三次元表示画面に領域表示した（図１０，図１１，図１２）。
図１０は、被験者１（軽度慢性呼吸器疾患患者）の場合である。
図１１は、被験者２（重度慢性呼吸器疾患患者）の場合である。
図１２は、被験者３（健常者）の場合である。
【００４６】
次に、「安静時と比較して、運動強度（歩行速度）が変化しても経皮的酸素飽和度（Spo2）の平均値に差がない場合を正常とする」という帰無仮説を、各運動強度（歩行速度）ごとに有意検定する。図７，図８，図９の分析結果の表中に有意検定の結果を示す。
NS：帰無仮説が成立する。
＊ ：危険率５％で帰無仮説を棄却する。
＊ ＊：危険率２％で帰無仮説を棄却する。
なお、上記の有意検定は構成比３％以上かつ該当件数１００件以上の運動強度を対象に行った。
【００４７】
上記の有意検定結果から以下が明らかとなる。
被験者１（軽度慢性呼吸器疾患患者）：
歩行速度2km/hまでは仮説が成立し、2.5km/h以上で帰無仮説が危険率２％以下で棄却される。すなわち歩行速度2.5km/hに相当する運動強度以上で、労作によるSpo2の低下現象が認められる。しかし、低下の程度は僅かであり、運動時に酸素療法を必要とはしないと判断される。
被験者２（重度慢性呼吸器疾患患者）：
図８（E）に示すように、歩行速度の増加とともに分布の頂点が左に推移している。各歩行速度で帰無仮説が危険率２％以下で棄却される。Spo2平均値も歩行速度の増加とともに大きく低下している。すなわち、軽度の労作でもSpo2が大きく低下するため、運動耐容能は低く労作時には酸素療法が必要であると判断される。
被験者３（健常者）：
各歩行速度において帰無仮説が成立するため、労作によってSpo2平均値は影響を受けない。すなわち運動耐容能が正常であると判断される。
【００４８】
以上、被験者１〜３の例のごとく「健常者は、経皮的酸素飽和度（Spo2)の平均値が運動時でも変化しない」という帰無仮説を有意検定することでその被験者の運動耐容能を判定できる。測定値を運動強度（歩行速度）ごとに統計処理をすることで、測定値のばらつきが安静時から存在するものか、あるいは運動に起因するものかを区別して評価することができる。また、被験者個人毎に運動耐容能を判定できるため、正常集団を対象にして求められた基準値を用いることなく判定できるという特徴を有する。
【００４９】
なお、上記検査例は運動強度として歩行速度、生体情報として経皮的酸素飽和度（Spo2）とした例であるが、本発明の実施の形態に係る生理機能検査装置および生理機能検査結果表示装置は、上記検査例以外にも運動エネルギーあるいは消費エネルギーを用いて、運動耐容能を評価することが同様に出来る。
【００５０】
【発明の効果】
以上詳述したとおり、請求項１記載の生理機能検査装置によれば、被験者の生体情報と運動強度関連値とを同時に計測する生理機能検査装置であって、生体情報有意検定手段を有し、該生体情報有意検定手段は、前記生体情報の計測値と前記運動強度関連計測値とを集計処理し、各運動強度関連計測値ごとに統計処理を行い、該統計情報を用いて有意検定を行うように構成されたことにより、高齢者あるいは重度の慢性呼吸不全患者や虚血性心疾患等合併患者など、運動負荷試験を実施することが困難な対象に、日常生活労作から運動負荷試験に準ずる情報を得て、計測誤差や偶発的計測誤差の影響が少なく客観的な評価ができる。
【００５１】
請求項２記載の生理機能検査装置によれば、前記生体情報の計測値と前記運動強度関連計測値とを一旦記憶装置に記憶させてから、計測値を集計処理して相対度数分布表を作成する機能を有することにより、記憶装置を被験者が携帯し被験者の行動の自由を制限することなく日常生活における状態を観察することができる。
【００５２】
請求項３記載の生理機能検査装置によれば、前記生体情報の計測値と前記運動強度関連計測値とを集計処理装置に直接送信して、相対度数分布表を作成する機能を有することにより、送受信装置が整っている場所内においては被験者が記憶装置を携帯する必要がない。
【００５３】
請求項４記載の生理機能検査装置によれば、生体情報に基づいた有意検定を行ない運動強度に関連する帰無仮説が成立するか否かによって被験者の運動耐容能の範囲を判定する機能を有することにより、計測誤差や偶発的計測誤差の影響が少なく客観的な評価ができる。
【００５４】
請求項５に記載の生理機能検査装置によれば、前記運動強度関連計測値の変化量をもとに相対度数分布表を作成する機能を有することで、運動強度の変化に基づく運動耐容能を評価できる。
【００５５】
請求項６に記載の生理機能検査装置によれば、前記変化量が微分値または差分値であることにより、運動強度の変化時の結果を評価できる。
【００５６】
請求項７に記載の生理機能検査装置によれば、運動強度の変化と生体情報の変化とがサンプリング周期に比べて遅延する場合は、予めこの遅延時間を想定して相対度数分布表を作成し、遅延時間を考慮した有意検定を行う機能を有することにより、より精度の高い相対度数分布表を作成できる。
【００５７】
請求項８に記載の生理機能検査装置によれば、統計情報が平均値，最頻値，標準偏差のいずれかであることにより、これらの生体情報に関して計測誤差や偶発的計測誤差の影響が少なく客観的な評価ができる。
【００５８】
請求項９に記載の生理機能検査装置によれば、生体情報が経皮的酸素飽和度(Spo2)，脈拍数，呼吸数，血圧のいずれかであることにより、運動強度の変化に基づく生体反応を客観的に評価することができる。
【００５９】
請求項１０に記載の生理機能検査装置によれば、運動強度関連計測値は歩行速度，加速度または運動エネルギーに関する計測値に基づくことにより、万歩計（登録商標），加速度計など携帯可能な機器を用いて日常生活中に計測を行うことができる。
【００６０】
請求項１１に記載の生理機能検査装置によれば、さらに有意検定の結果に基づいて労作時における低酸素状態を評価し酸素療法の適応を判定する機能を有することにより、有意検定の結果から被験者の運動耐容能について評価し労作時における酸素療法適応の要否を判定することができる。
【００６１】
請求項１２に記載の生理機能検査装置によれば、さらに経時的に得られた有意検定の結果に基づいて被験者の生体機能を評価する機能を有することことにより、定期的に行った有意検定の結果を経時的に比較して運動耐容能の変化から、生体機能の改善または悪化を従来の検査装置よりも早期に検出することができる。
【００６２】
請求項１３に記載の生理機能検査装置によれば、請求項１〜１２のいずれかに記載の生理機能検査装置によって得られた各種統計情報が画面に表示される生理機能検査結果表示装置であって、三次元表示画面に前記各種統計情報がライン表示または領域表示する機能を有することにより、計測誤差や偶発的計測誤差の影響が少なく、計測値が視覚化され結果の把握が直観的にできる。
【００６３】
請求項１４に記載の生理機能検査結果表示装置によれば、各種統計情報がカラー表示により区別されて表示する機能を有することにより、各種統計情報の表や図が直観的に把握が可能になる。
【００６４】
以上のように、本発明は、使用する装置が簡易であり、また重度の慢性呼吸不全患者や虚血性心疾患等合併患者を検査する場合においても安全に実施することが可能である。生体情報の変動が運動に起因するものか否かの客観的な判断ができ、また生体側のゆらぎ，計測誤差，偶発的な計測誤差などに影響されない客観的な評価ができ、しかも被験者の生体機能の改善または悪化を従来の検査装置よりも早期に検出できる生理機能検査装置および生理機能検査結果表示装置を提供できるものである。
【図面の簡単な説明】
【図１】本実施の形態に係る生理機能検査装置及び生理機能検査結果表示装置の構成を示すブロック図である。
【図２】本実施の形態に係る生理機能検査装置による検査の流れを説明するフロー図である。
【図３】記憶装置（メモリカード）の一例を示す模式的な斜視図である。
【図４】本実施の形態の検査例における被験者１（軽度慢性呼吸器疾患患者）の度数分布表である。
【図５】本実施の形態の検査例における被験者２（重度慢性呼吸器疾患患者）の度数分布表である。
【図６】本実施の形態の検査例における被験者３（健常者）の度数分布表である。
【図７】本実施の形態の検査例における被験者１の統計情報である。
【図８】本実施の形態の検査例における被験者２の統計情報である。
【図９】本実施の形態の検査例における被験者３の統計情報である。
【図１０】各歩行速度におけるSpo2相対度数分布図を三次元表示画面に領域表示したグラフ（被験者１）である。
【図１１】各歩行速度におけるSpo2相対度数分布図を三次元表示画面に領域表示したグラフ（被験者２）である。
【図１２】各歩行速度におけるSpo2相対度数分布図を三次元表示画面に領域表示したグラフ（被験者３）である。
【符号の説明】
１００    生理機能検査装置
１０１    生理機能検査結果表示装置
１０２    生体情報有意検定手段
１０３    運動強度計測手段
１０４    生体情報計測手段
１０５    記憶装置
１０５ａ  メモリカード
１０６    入力装置
【図１】
0003689860.tif 000002
【図２】
0003689860.tif 000003
【図３】
0003689860.tif 000004
【図４】
0003689860.tif 000005
【図５】
0003689860.tif 000006
【図６】
0003689860.tif 000007
【図７】
0003689860.tif 000008
【図８】
0003689860.tif 000009
【図９】
0003689860.tif 000010
【図１０】
0003689860.tif 000011
【図１１】
0003689860.tif 000012
【図１２】
0003689860.tif 000013